(57)【要約】      （修正有）【課題】安定性に優れて各部材を緩め難いミニスイッチ用コネクタを提供すること。【解決手段】支持枠２０と、Ａ型足３０と、片状バネ４０と、ハウジング５０と、台座６０とから構成される。前記支持枠は段階付き穴２１でＡ型足と片状バネとの段階付き足３１を収容し、且つＡ型足と片状バネとはく字形の折曲可能素子３２で台座にある収容溝６１と対応し、且つ台座にある収容溝内には支え片６１１が設けてあり、ハウジングにある支持足５１に応じて台座には三面が閉鎖した定位溝６２が設けてあり、また、Ａ型足の端部には突起状の導電点３５が設けてある。【選択図】図２
0003106074.tif 000002
【実用新案登録請求の範囲】
【請求項１】
支持枠と、Ａ型足と、片状バネと、ハウジングと、台座とから構成されるミニスイッチ用コネクタにおいて、
前記支持枠は、中心孔を有する板体であり、四つの段階付き穴が設けてあり、前記段階付き穴内には段階付きブロックが設けてあり、
前記Ａ型足は、導電性素子であり、その一端に二段階付き足が設けてあり、前記段階付き足が前記支持枠にある段階付き穴内に取り付けられ、且つ前記段階付き足の段階付き周縁が前記支持枠に設けた段階付きブロックに当接し支え、前記Ａ型足の対向側には折曲可能素子が設けてあり、また、Ａ型足の支持枠にある中心孔に対応する箇所では誘導片が設けてあり、
前記片状バネは、導電性素子であり、その中段に圧力抵抗用バネを有し、その一端に段階付き足が二つに設けてあり、且つ前記段階付き足が支持枠の他組の段階付き穴内に取り付けられ、且つ前記段階付き足の段階付き周縁が前記支持枠に設けた段階付きブロックに当接し支え、前記片状バネの対向側には折曲可能素子が設けてあり、且つ前記片状バネの支持枠にある中心孔に対応する箇所では押圧片が設けてあり、前記押圧片がＡ型足に設けた誘導片に対応し押圧し、
前記ハウジングは、前記支持枠をカバーするものであり、四つの折曲支持足が設けてあり、
前記台座は、前記支持枠に対応しＡ型足及び片状バネを挟み定位し、その両側に収容溝が設けてあり、前記収容溝内に支え片が設けてあり、前記収容溝は片状バネにある折曲可能素子とＡ型足にある折曲可能素子とを収容するためのものであり、且つ前記支え片が前記各折曲可能素子の内側に当接し、前記台座は、四つの三面が閉鎖した定位溝が別に設けてあり、前記ハウジングにある四つの折曲支持足が前記定位溝に係止して収容することを特徴とする、
ミニスイッチ用コネクタ。
【請求項２】
前記Ａ型足にある折曲可能素子はく字形に折曲されたことを特徴とする、請求項１に記載のミニスイッチ用コネクタ。
【請求項３】
前記片状バネにある折曲可能素子はく字形に折曲されたことを特徴とする、請求項１に記載のミニスイッチ用コネクタ。
【請求項４】
折曲角度を精確にするために、前記前記片状バネにある折曲可能素子の内側の折曲した箇所では素材離脱部が設けてあることを特徴とする、請求項１又は２のいずれに記載のミニスイッチ用コネクタ。
【請求項５】
前記Ａ型足にある誘導片の端部には一導電点が設けてあることを特徴とする、請求項１に記載のミニスイッチ用コネクタ。
【考案の詳細な説明】
【技術分野】
【０００１】
本考案はミニスイッチ用コネクタに関するものである。
【背景技術】
【０００２】
従来のミニスイッチ用コネクタは、図１に示すように、一つの支持枠１０と、一つのＡ型足１１と、一つの片状バネ１２と、一つのハウジング１３と、一つの台座１４とから構成される。前記支持枠１０は貫通孔１５でＡ型足１１と片状バネ１２とのＬ型足１６を収容し、且つＡ型足１１と片状バネ１２とはＩ型の挿込素子１７で前記台座１４の窪み空間１８と対応し、また、前記ハウジング１３は四つの支持足１９で前記台座１４の周縁に直接に係止する。
【考案の開示】
【考案が解決しようとする課題】
【０００３】
しかしながらこれには次のような問題があった。
（１）支持枠１０は貫通孔１５でＡ型足１１と片状バネ１２とのＬ型足を収容するので、両者の定位が不安定で、各部材が緩め易かった。
【０００４】
（２）前記ハウジング１３は四つの支持足１９で前記台座１４の周縁に直接に係止するので、前記支持足１９が全て台座１４から突出し、だが、定位されていない支持足１９が変位し易かった。
【０００５】
（３）Ａ型足１１と片状バネ１２とはＩ型の挿込素子１７で前記台座１４の窪み空間１８と対応するが、前記挿込素子１７と窪み空間１８との間にある隙間により部材が緩め易く、且つ片状バネ１２が作動過程中に変位し易く、また、Ｉ型の挿込素子１７は別に定位の機構がないので、製品は試験を行っているときに、Ｉ型の挿込素子１７が折曲され損壊になることがよくあった。
【０００６】
本考案の主な目的は、定位が安定で、各部材が緩め難いミニスイッチ用コネクタを提供する。
【０００７】
本考案の他の目的は、接続がより緊密になり、実験中に損壊又は脱落が発生し難いミニスイッチ用コネクタを提供する。
【課題を解決するための手段】
【０００８】
上記目的を達成するためになされた本考案は、支持枠と、Ａ型足と、片状バネと、ハウジングと、台座とから構成されるミニスイッチ用コネクタにおいて、前記支持枠は、中心孔を有する板体であり、四つの段階付き穴が設けてあり、前記段階付き穴内には段階付きブロックが設けてあり、前記Ａ型足は、導電性素子であり、その一端に二段階付き足が設けてあり、前記段階付き足が前記支持枠にある段階付き穴内に取り付けられ、且つ前記段階付き足の段階付き周縁が前記支持枠に設けた段階付きブロックに当接し支え、前記Ａ型足の対向側には折曲可能素子が設けてあり、また、Ａ型足の支持枠にある中心孔に対応する箇所では誘導片が設けてあり、前記片状バネは、導電性素子であり、その中段に圧力抵抗用バネを有し、その一端に段階付き足が二つに設けてあり、且つ前記段階付き足が支持枠の他組の段階付き穴内に取り付けられ、且つ前記段階付き足の段階付き周縁が前記支持枠に設けた段階付きブロックに当接し支え、前記片状バネの対向側には折曲可能素子が設けてあり、且つ前記片状バネの支持枠にある中心孔に対応する箇所では押圧片が設けてあり、前記押圧片がＡ型足に設けた誘導片に対応し押圧し、前記ハウジングは、前記支持枠をカバーするものであり、四つの折曲支持足が設けてあり、前記台座は、前記支持枠に対応しＡ型足及び片状バネを挟み定位し、その両側に収容溝が設けてあり、前記収容溝内に支え片が設けてあり、前記収容溝は片状バネにある折曲可能素子とＡ型足にある折曲可能素子とを収容するためのものであり、且つ前記支え片が前記各折曲可能素子の内側に当接し、なお、前記台座は、四つの三面が閉鎖した定位溝が別に設けてあり、前記ハウジングにある四つの折曲支持足が前記定位溝に係止し収容することを特徴とするミニスイッチ用コネクタであることを要旨としている。
【０００９】
本考案では、前記Ａ型足にある折曲可能素子はく字形に折曲されたことを特徴とする請求項１に記載のミニスイッチ用コネクタであることを要旨としている。
【００１０】
本考案では、前記片状バネにある折曲可能素子はく字形に折曲されたことを特徴とする請求項１に記載のミニスイッチ用コネクタであることを要旨としている。
【００１１】
本考案では、折曲角度を精確にするために、前記前記片状バネにある折曲可能素子の内側の折曲した箇所では素材離脱部が設けてあることを特徴とする請求項１又は２のいずれに記載のミニスイッチ用コネクタであることを要旨としている。
【００１２】
本考案では、前記Ａ型足にある誘導片の端部には一導電点が設けてあることを特徴とする請求項１に記載のミニスイッチ用コネクタであることを要旨としている。
【考案の効果】
【００１３】
本考案に係るミニスイッチ用コネクタによれば、定位が安定で、各部材が緩め難く、且つ接続がより緊密になり、試験中に損壊又は脱落が発生し難い。
【考案を実施するための最良の形態】
【００１４】
以下、添付図面を参照して本考案の好適な実施の形態を詳細に説明する。
【００１５】
本考案に係るミニスイッチ用コネクタは、支持枠２０と、Ａ型足３０と、片状バネ４０と、ハウジング５０と、台座６０とから構成される。
【００１６】
前記支持枠２０は、中心孔２２を有する板体であり、四つの段階付き穴２１が設けてあり、前記段階付き穴２１内には段階付きブロック２１１が設けてある。
【００１７】
前記Ａ型足３０は、導電性素子であり、その一端に二段階付き足３１が設けてあり、前記段階付き足３１が前記支持枠２０にある段階付き穴２１内に取り付けられ、且つ前記段階付き足３１の段階付き周縁３１１が前記支持枠２０に設けた段階付きブロック２１１に当接し支え、前記Ａ型足３０の対向側にはく字形に折曲された折曲可能素子３２が設けてあり、且つ折曲可能素子３２の内側の折曲した箇所では素材離脱部３３が設けてあり、また、Ａ型足３０の支持枠２０にある中心孔２２に対応する箇所では誘導片３４が設けてあり、前記誘導片３４の端部にはピン状に突起する導電点３５が設けてある。
【００１８】
前記片状バネ４０は、導電性素子であり、その中段に圧力抵抗用バネ４１を有し、その一端に段階付き足４２が二つに設けてあり、且つ前記段階付き足４２が支持枠２０の他組の段階付き穴２１内に取り付けられ、且つ前記段階付き足４２の段階付き周縁４２１が前記支持枠２０に設けた段階付きブロック２１１に当接し支え、前記片状バネ４０の対向側にはく字形に折曲された折曲可能素子４３が設けてあり、且つ折曲可能素子４３の内側の折曲した箇所では素材離脱部４４が設けてあり、且つ前記片状バネ４０の支持枠２０にある中心孔２２に対応する箇所では押圧片４５が設けてあり、前記押圧片４５がＡ型足３０に設けた誘導片３４の導電点３５に対応し押圧する。
【００１９】
前記ハウジング５０は、前記支持枠２０をカバーするものであり、四つの折曲支持足５１が設けてあり、折曲支持足５１の内側の折曲した箇所では素材離脱部５１１が設けてある。
【００２０】
前記台座６０は、前記支持枠２０に対応しＡ型足３０及び片状バネ４０を挟み定位し、その両側に収容溝６１が設けてあり、前記収容溝６１内に支え片６１１が設けてあり、前記収容溝６１は片状バネ４０にある折曲可能素子４３とＡ型足３０にある折曲可能素子３２とを収容するためのものであり、且つ前記支え片６１１が前記各折曲可能素子４３，３２の内側に当接し、なお、前記台座６０は、四つの三面が閉鎖した定位溝６２が別に設けてあり、前記ハウジング５０にある四つの折曲支持足５１が前記定位溝６２に係止し収容され、且つ折曲支持足５１が定位溝６２内に収容される。
【００２１】
次に、図３乃至図７を参照して本考案の作動状態および機能を説明する。それらは支持枠２０をベースとして組立てる。
【００２２】
まず、Ａ型足３０の二つの段階付き足３１を支持枠２０にある段階付き穴２１内に取り付け、且つ段階付き足３１にある段階付き周縁３１１が支持枠２０にある段階付きブロック２１１に当接し支え、次に、片状バネ４０は、導電性素子であり、その中段に圧力抵抗用バネ４１を有し、その一端に段階付き足４２が二つに設けてあり、且つ前記段階付き足４２が支持枠２０の他組の段階付き穴２１内に取り付けられ、且つ前記段階付き足４２の段階付き周縁４２１が前記支持枠２０に設けた段階付きブロック２１１に当接し支え、そうすると、支持枠２０にある段階付き穴２１の段階付きブロック２１１により、段階付き足３１にある段階付き周縁３１１と、段階付き足４２にある段階付き周縁４２１とが安定に収容される。
【００２３】
また、台座６０にある収容溝６１には、片状バネ４０にある折曲可能素子４３と、Ａ型足３０にある折曲可能素子３２とが折曲し収容され、且つ支え片６１１が前記各折曲可能素子４３，３２の内側に当接するので、本考案の安定性が更に向上する。なお、前記台座６０は、四つの三面が閉鎖した定位溝６２が別に設けてあり、前記ハウジング５０にある四つの折曲支持足５１が前記定位溝６２に係止し収容され、且つ折曲支持足５１が定位溝６２内に収容されるので、本考案に係る支持枠２０と、Ａ型足３０と、片状バネ４０と、ハウジング５０と、台座６０とが順序で確実に重なり、組立てた後に各部材が突出しなく（その組合平面により実験治具の過大な応力による損壊が防止でき）、且つ各部材の変位または脱落がなり難い。なお、完成品を回路板に粘着した後、各端子がきちんとした状態にあるので、安定な加工品質が達成できる。
【００２４】
そして、Ａ型足３０にある折曲可能素子３２の内側の折曲した箇所では素材離脱部３３が設けてあり、片状バネ４０にある折曲可能素子４３の内側の折曲した箇所では素材離脱部４４が設けてあり、且つハウジング５０にある四つの折曲支持足５１の内側の折曲した箇所では素材離脱部５１１が設けてあるので、部材の折曲および定位が容易になり、且つ折曲角度が精確になる。
【図面の簡単な説明】
【００２５】
【図１】従来のものの分解斜視図である。
【図２】本考案の分解斜視図である。
【図３】本考案に係る支持枠の組立て前の斜視図である。
【図４】本考案に係るＡ型足を組立てた状態を示す斜視図である。
【図５】本考案に係る片状バネを組立てた状態を示す斜視図である。
【図６】本考案に係るハウジングを組立てた状態を示す斜視図である。
【図７】本考案の組立てた状態を示す斜視図である。
【符号の説明】
【００２６】
１０      支持枠                  １１      Ａ型足
１２      片状バネ                １５      貫通孔
１６      Ｌ型足                  １７      挿込素子
１８      窪み空間                １９      支持足
２０      支持枠                  ２１      段階付き穴
２１１    段階付きブロック        ２２      中心孔
３０      Ａ型足                  ３１      段階付き足
３２      折曲可能素子            ３３      素材離脱部
３４      誘導片                  ３５      導電点
４０      片状バネ                ４１      圧力抵抗用バネ
４２      段階付き足              ４２１    段階付き周縁
４３      折曲可能素子            ４４      素材離脱部
４５      押圧片
５０      ハウジング              ５１      折曲支持足
５１１    素材離脱部
６０      台座                    ６１      収容溝
６１１    支え片                  ６２      定位溝
【図１】
0003106074.tif 000003
【図２】
0003106074.tif 000004
【図３】
0003106074.tif 000005
【図４】
0003106074.tif 000006
【図５】
0003106074.tif 000007
【図６】
0003106074.tif 000008
【図７】
0003106074.tif 000009